(57)【要約】【課題】製品収納量に対して使用時の設置スペースが著しく小さくて済むような衛生コットン製品を提供する。【解決手段】取出口１２が形成されているか、または使用に際して取出口１２が形成されるように構成された包装容器内に、複数のコットンを収納するに際し、取出しスリット３１を有するシート材３０を各容器部１０，１０内面に貼り付けて取出口１２を塞ぐとともに、コットンＣを折り畳み、その山折端部Ｃ１を取出口１２側に配置して包装容器１内に収納するようにする。【選択図】図６
2005162257.tif 000002
【特許請求の範囲】
【請求項１】
取出口が形成されているか、または使用に際して取出口が形成されるように構成された包装容器と、この包装容器の内に収納された複数の衛生用コットンとを有し、
前記取出口が、取出口よりも柔らかく且つ滑らかなシート材により塞がれており、このシート材に取出しスリットが形成されている、ことを特徴とする衛生用コットン製品。
【請求項２】
取出口が形成されているか、または使用に際して取出口が形成されるように構成された包装容器と、この包装容器の内に収納された複数の衛生用コットンとを有し、
各前記衛生用コットンは折り畳まれかつその山折端部が取出口側に配置された状態で、前記包装容器内に配列収納されている、ことを特徴とする衛生用コットン製品。
【請求項３】
取出口が形成されているか、または使用に際して取出口が形成されるように構成された包装容器と、この包装容器の内に収納された複数の衛生用コットンとを有し、
前記取出口が、取出口よりも柔らかく且つ滑らかなシート材により塞がれており、このシート材に取出しスリットが形成されており、かつ
各前記衛生用コットンは折り畳まれかつその山折端部が取出口側に配置された状態で、前記包装容器内に配列収納されている、ことを特徴とする衛生用コットン製品。
【発明の詳細な説明】
【技術分野】
【０００１】
本発明は、包装容器に衛生用コットンを収納してなる衛生コットン製品に関するものである。
【背景技術】
【０００２】
化粧用、医療用等の衛生用コットン（カットコットン、コットンパフ、またはパフともいわれる）は、一般に、嵩高である程度の厚みを有する層状体をなし、直方体状の紙箱に多数収納されて市販されている。使用に際しては、前面から上面にわたり形成されたミシン目に沿って、前面の幅方向中央の上部から上面の幅方向中央部にわたる部分を切り離し、内部に収納されたコットンを取り出す仕組みとなっている。また、前面から底面にわたる部分を切り離すタイプのものも提案されている（特許文献１参照）。
【０００３】
しかしながら、従来の製品では、化粧用等のコットンを取り出す際、化粧用等のコットンは嵩が高いため取出口に引っ掛かり易く、その際に繊維間の結合が弱いため層分離してしまうおそれもあり、取りだし易さの点で問題があった。さらに、従来の製品は取出口を遮るものが無く、それ自体は取り出しに際して煩わしさはないが、開封後にゴミ、埃等の異物進入を防止できず、不衛生になるおそれがあった。
【０００４】
また、従来の製品では、矩形状にカットされた層状体が上下方向に重ねられた状態で包装容器内に収納されているため、一枚一枚の境界が分かり難く、複数同時に取り出してしまったり、一枚とこれに隣接するコットンの一部とを同時に取出し、当該隣接コットンを層分離してしまったりすることがあり、けっして取り出しやすいものではなかった。
【特許文献１】特開平６−９９９７０号公報
【発明の開示】
【発明が解決しようとする課題】
【０００５】
そこで本発明の主たる課題は、従来よりも衛生的で、かつ取り出し易いコットン製品を提供することにある。
【課題を解決するための手段】
【０００６】
上記課題を解決した本発明は、次記のとおりである。
（請求項１記載の発明）
取出口が形成されているか、または使用に際して取出口が形成されるように構成された包装容器と、この包装容器の内に収納された複数のコットンとを有し、
前記取出口が、取出口よりも柔らかく且つ滑らかなシート材により塞がれており、このシート材に取出しスリットが形成されている、ことを特徴とするコットン製品。
【０００７】
（作用効果）
本項記載の発明によれば、コットンの取り出し時には、コットンがより滑らかで柔軟なスリット間から滑り出されることになるため、容易、円滑、確実な取り出しが可能となる。また、取出口がスリットを有するシート材により塞がれているため、使用を開始した後の異物進入を効果的に防止できる。
【０００８】
（請求項２記載の発明）
取出口が形成されているか、または使用に際して取出口が形成されるように構成された包装容器と、この包装容器の内に収納された複数の衛生用コットンとを有し、
各前記衛生用コットンは折り畳まれかつその山折端部が取出口側に配置された状態で、前記包装容器内に配列収納されている、ことを特徴とする衛生用コットン製品。
【０００９】
（作用効果）
本項記載のように、コットンを折り畳み、その山折端部を取出口側に配置して包装容器内に収納すると、使用者は取出口に露出する山折端部によりコットンの一単位を一目瞭然で判別できるとともに、山折端部は摘み易いためコットンを一単位ごと確実に取り出すことができるようになる。ちなみに、従来の化粧用等のコットンは折り畳まれて収納されておらず、またティッシュペーパーは折り畳まれて収納されているものの、取出口を有する面に平行に積み重ねられており、山折端部が取出口側に配置されていない。
【００１０】
（請求項３記載の発明）
取出口が形成されているか、または使用に際して取出口が形成されるように構成された包装容器と、この包装容器の内に収納された複数の衛生用コットンとを有し、
前記取出口が、取出口よりも柔らかく且つ滑らかなシート材により塞がれており、このシート材に取出しスリットが形成されており、かつ
各前記衛生用コットンは折り畳まれかつその山折端部が取出口側に配置された状態で、前記包装容器内に配列収納されている、ことを特徴とする衛生用コットン製品。
【００１１】
（作用効果）
上記の両作用効果により、衛生的でかつ取出し易いものとなる。
【発明の効果】
【００１２】
以上のとおり本発明によれば、衛生的で、かつ容易にコットンを取り出すことができる等の利点がもたらされる。
【発明を実施するための最良の形態】
【００１３】
以下、本発明の実施形態について添付図面を参照しつつ詳説する。
（包装容器の例）
図１は、化粧用コットンの包装容器の一例１を示したものであり、一体に形成された複数の容器部１０，１０からなり、各容器部１０は独立した一つの包装容器として分離可能なように構成されているものである。
【００１４】
より詳細には、図示例の包装容器１は、実質的に同寸法の直方体状もしくは立方体状をなす第一及び第二の容器部１０，１０を有するものである。もちろん、各容器部１０，１０は多角錐状、円錐状、多角柱状、円柱状、球状、その他の多面体状等、適宜の立体形状を採用することができる。また、容器部１０の数は利用者のニーズやユーザビリティ等を勘案して適宜設定すれば良い。さらに、包装容器１の材質は特に限定されるものではなく、紙、樹脂フィルム（化粧用コットンを樹脂フィルムで直に包装する場合等）、木、金属等適宜の材料により形成することができる。
【００１５】
そして、図示例では、これら第一および第二の容器部１０，１０は同寸法の面ＵＦ（取出口１２を上にして配置する通常の使用状態における上面。以下、上下左右前後の方向はこの通常使用状態の方向である）において実質的にずれの無いように向かい合わされ且つ相互に接触されており、この接触面ＵＦの四辺のうち三辺（すなわち前面ＦＦ、上面ＵＦおよび後面ＢＦの一辺）が位置する部分において第一及び第二の容器部１０，１０が分離可能なように繋がっている。このように容器部１０，１０相互が一本の直線部分のみで繋がっていると、各容器部１０はその直線部分を中心として回動してしまうが（図２の状態と同じである）、本例のように、接触面ＵＦの四辺のうち少なくとも二辺が繋がっていると、このような回動が不可能となり、より一体性が高くなるため好ましい。
【００１６】
かかる包装容器１は、例えば図４からも判るように、各容器部１０，１０の展開図を容器部相互を繋ぐ位置Ｌに関して対称に設計することにより、一枚の素材シートを折り曲げるだけで一体をなす二つの紙箱として形成することができる。より詳細には、各容器部１０は、取出し口を有する上面ＵＦの一端に連続して左側面ＬＦ、底面ＳＦおよび右側面ＲＦが形成され、上面ＵＦの他端に接着代１１が設けられ、この接着代１１は右側面ＲＦまたは左側面ＬＦの一端部に連続され、またこの右側面ＲＦまたは左側面ＬＦの一端部の縁において容器部相互が連続され、また前面ＦＦおよび背面ＢＦは蓋部として右側面ＲＦまたは左側面ＬＦに対してそれぞれ連続形成されている。したがって、必要に応じて後述するミシン目２を繋がり位置Ｌに沿って形成した後、上面ＵＦの接着代１１を右側面ＲＦまたは左側面ＬＦの繋がり位置Ｌ側の端部に接着し、上面ＵＦ、左側面ＬＦ、底面ＳＦおよび右側面ＲＦからなる筒状部を形成した後、その前後開口に前面ＦＦおよび後面ＢＦを折り曲げて蓋することにより上記包装容器１が形成される。
【００１７】
また、図示例のように各容器部１０，１０を一体の容器１として形成しても良いが、各容器部１０，１０を個別に製造した後に連結もしくは接続しても良い。
【００１８】
さらに図示例の容器１では、鋏等を用いずにしかも容易に分離できるように、分離位置（繋がり部位）Ｌに沿ってミシン目加工２を施している。しかし、これ以外の分離を容易にするための加工を採用することもでき、例えば何も加工を施さずに、破く、鋏等で切断する、もしくはこれらにより分離可能であることを示す旨の表記や分離位置を示す線等を付することもできる。また、各容器部を個別に製造した後に連結もしくは接続する場合には、容器部相互を接着テープで連結する若しくは剥離可能に接着することもできる。
【００１９】
また、図示例の包装容器１では、各容器部１０，１０の相互接触面ＵＦ，ＵＦに取出口１２が形成されている。このように、各容器部１０の一面ＵＦが他の容器部１０の一面ＵＦに対して接触されており、この各容器部１０の接触面ＵＦに取出口１２がそれぞれ開口されていると、使用前においては各取出口１２が他の容器部１０により塞がれるため、特別の部材を用いずに使用前における異物進入を効果的に防止できるようになる。
【００２０】
使用に際しては図２及び図３に示すように、ミシン目２に沿って第一の容器部１０と第二の容器部１０とを分離するだけである。符号Ｃは容器部内に収納されたコットンを示している。分離した容器部１０，１０は、いずれか一方を使用分として化粧台等に設置し、他方を予備として保管したり、両方を別の場所に設置したり、両方を同じ場所の離れた位置に設置したりすることができ、いずれにせよ各容器部１０の設置スペースは従来の半分で済むようになる。なお、本明細書中では取出口１２が上面となる配置を通常の使用状態として説明しているが、これは使用者において適宜変更することができるものであり、例えば取出口１２を前面として使用することもできるのはいうまでもない。
【００２１】
（本発明のポイント）
かくして容器部１０，１０を分離した後、使用者は取出口１２からコットンＣを取り出すことができる。この際、化粧用等のコットンは嵩が高いため取出口に引っ掛かり易く、その際に繊維間の結合が弱いため層分離してしまうおそれが高い。また、取出口１２が塞がれていないと使用期間中に異物が進入するおそれも高くなる。そこで、本発明に従って、図５に示すように、取出しスリット３１を有するシート材３０を各容器部１０，１０内面に貼り付けて取出口１２を塞ぐのが好ましい。このシート材３０は、取出口１２よりも柔らかく且つ滑らかな材料、例えば樹脂製のフィルムや表面の平滑な薄紙等により形成することができ、特に背後のコットンＣが外部から見えるように透明もしくは半透明の材料により形成するのが好ましい。この場合、使用を開始した後の異物進入を効果的に防止できる。さらに、取り出し時には、コットンＣが取出口１２に接触せず、より滑らかで柔軟なスリット３１間から滑り出されることになるため、円滑・確実な取り出しが可能となる。
【００２２】
シート材３０におけるスリット３１の形態は特に限定されるものではないが、図５に示すように取出口１２一つあたり一本のスリットを設けるのが好ましい。この場合、スリット３１は、取出口１２の幅方向中央に沿ってかつ長手方向の全体わたり設けるのが好ましい。
【００２３】
他方、取り出し易さを容易にする手法として、本発明では、図６に示されるように、コットンＣを折り畳み、その山折端部Ｃ１を取出口１２側に配置して（すなわち、コットンＣは取出口１２を有する面と交差する方向に沿って縦向きに配置され、かつこれが取出口１２の延在方向に沿って複数配置される）包装容器１内に配列収納することも提案される。これは、上記シート材３０とともに又はこれとは別に適用可能である。この場合、複数平行に配列された山折端部Ｃ１が取出口１２に露出するため、使用者は、コットンＣの境界を一目瞭然で判別できるとともに、山折端部Ｃ１は摘み易いためコットンＣを一単位ごと確実に取り出すことができるようになる。
【００２４】
この場合、折り数は特に限定されない。一単位のコットンＣにおける山折端部Ｃ１が複数になっても、その旨を使用者が理解していれば使用上の問題はない。しかし、外観と実際のコットンＣの数とは一対一で対応しているほうが好ましいため、図示のように二つ折りが特に好ましく、折り数を増やすとしても三つ折りまでとするのが好ましい。
【００２５】
また、前述のシート材３０を設ける場合、図示例のように、コットンＣの山折端部Ｃ１とスリット３１とが交差する、特に直交するようにコットンＣを配列すると、コットンＣを取り出すとき、その山折端部Ｃ１の両側がスリットを押し広げるように作用し、取り出しがスムーズになるため好ましい。
【００２６】
また、収納形態としては、従来例と同様に、矩形状等にカットした層状体を上下方向および横方向に重ねて容器内に収納することもできるが、この場合、下側のコットンに対して上側のコットンの重さが加わるため、長期保管により下側のコットンのふんわり感が減少してしまう。よって、図６にも示すように、コットンＣを収納するにあたっては上下に重ねず、縦向きの姿勢で横に配列するのが好ましい。
【００２７】
他方、本発明は、上記の複数の容器部からなるものに限られず、取出口が形成されているか、または使用に際して取出口が形成されるように構成された包装容器であれば、従来の単一の直方体状等の包装容器にも適用できることはいうまでもない。
【産業上の利用可能性】
【００２８】
本発明は、化粧用コットン、医療用コットン等、各種の衛生コットン製品に対して適用できるものである。
【図面の簡単な説明】
【００２９】
【図１】本発明に係る衛生コットン製品の斜視図である。
【図２】本発明に係る衛生コットン製品の分離途中の状態を示した斜視図である。
【図３】本発明に係る衛生コットン製品の分離後の状態を示した斜視図である。
【図４】本発明に係る衛生コットンの包装容器の展開状態を示す図である。
【図５】容器内面の取出口側部分を示す図である。
【図６】コットンの好ましい収納形態を示す平面図である。
【符号の説明】
【００３０】
１…包装容器、２…ミシン目、１０…容器部、Ｃ…コットン、Ｃ１…山折端部。
【図１】
2005162257.tif 000003
【図２】
2005162257.tif 000004
【図３】
2005162257.tif 000005
【図４】
2005162257.tif 000006
【図５】
2005162257.tif 000007
【図６】
2005162257.tif 000008